(57)【特許請求の範囲】
【請求項１】
実質的に垂直な掘削方向に沿って地中に掘削穴を作る掘削機であって、前記掘削機は、カッタ部材を備える底部及び上部を有し、前記掘削機は、前記掘削機の前記上部と前記底部との間に延びる長手方向を示し、前記掘削機は：
前面及び後面を有するアンカーモジュールであって、前記アンカーモジュールは、前記前面に配置される少なくとも１つの前部アンカーパッド及び前記後面に配置される少なくとも１つの後部アンカーパッドを有する少なくとも１つのアンカー装置を有し、前記前部アンカーパッド及び前記後部アンカーパッドは、前記アンカーモジュールを地中に静止して保持するために前記掘削穴の壁を押すように、前記掘削機の前記長手方向に対して横方向に延びる展開方向に展開可能である、アンカーモジュールと；
前記カッタ部材を担持する掘削モジュールであって、前記アンカーモジュールと協働する、掘削モジュールと；
を有し、
前記アンカー装置はさらに：
前記前部アンカーパッド及び前記後部アンカーパッドを担持するフレームであって、前記掘削モジュールを支持する、フレームと；
前記前部アンカーパッド及び前記後部アンカーパッドが留められるアクチュエータ装置であって、前記アクチュエータ装置は、前記前部アンカーパッド及び前記後部アンカーパッドが格納される格納状態、並びに前記前部アンカーパッド及び前記後部アンカーパッドが展開される展開状態を引き起こさせ、前記アクチュエータ装置は、前記前部アンカーパッド及び前記後部アンカーパッドに作用する一方で前記長手方向に対して横方向に延びる移動方向にフレームに対して移動可能である、アクチュエータ装置と；
を有し、
前記前部アンカーパッド、前記後部アンカーパッド、及び前記アクチュエータ装置によって構成されるアセンブリが、前記フレーム及び前記掘削モジュールに対して前記移動方向に移動可能である、
掘削機。
【請求項２】
前記アクチュエータ装置は、前記移動方向に平行な方向に移動可能であるように前記フレームに留められるボディを含む、
請求項１に記載の掘削機。
【請求項３】
前記アンカー装置はさらに：
前記展開方向の前記フレームに対する前記前部アンカーパッドの移動を案内するための前部案内装置；及び／又は
前記展開方向の前記フレームに対する前記後部アンカーパッドの移動を案内するための後部案内装置；
を有する、
請求項１に記載の掘削機。
【請求項４】
前記前部案内装置は、前記前部アンカーパッドに留められる少なくとも第１の前部案内部材を含み、前記第１の前部案内部材は、前記展開方向に平行な方向に沿ってスライド可能であるように、前記フレームに対して取り付けられる、
請求項３に記載の掘削機。
【請求項５】
前記前部案内装置はさらに、前記第１の前部案内部材と同一である第２の前部案内部材を含み、前記第１の前部案内部材及び前記第２の前部案内部材は、前記アクチュエータ装置の両側に配置される、
請求項４に記載の掘削機。
【請求項６】
前記後部案内装置は、前記後部アンカーパッドに留められる少なくとも第１の後部案内部材を含み、前記第１の後部案内部材は、前記展開方向に沿ってスライド可能であるように、前記フレームに対して取り付けられる、
請求項３乃至５のいずれか１項に記載の掘削機。
【請求項７】
前記後部案内装置はさらに、前記第１の後部案内部材と同一である第２の後部案内部材を含み、前記第１の後部案内部材及び前記第２の後部案内部材は、前記アクチュエータ装置の両側に配置される、
請求項６に記載の掘削機。
【請求項８】
前記前部アンカーパッド及び前記後部アンカーパッドのそれぞれは、ヒンジ接続される方法で前記アクチュエータ装置に留められる、
請求項１乃至７のいずれか１項に記載の掘削機。
【請求項９】
前記前部アンカーパッドは、ヒンジ接続される方法で前記前部案内装置に留められ、前記後部アンカーパッドは、ヒンジ接続される方法で前記後部案内装置に留められる、
請求項３乃至７のいずれか１項を引用する請求項８に記載の掘削機。
【請求項１０】
前記前部アンカーパッド及び前記後部アンカーパッドのそれぞれは、前記第１及び前記第２の前記前部案内部材及び前記後部案内部材に対してヒンジ接続される、
請求項５及び７を引用する請求項９に記載の掘削機。
【請求項１１】
前記前部アンカーパッド、前記後部アンカーパッド、前記前部案内装置、及び前記後部案内装置によって構成されるアセンブリは、変形可能な台形を形成し、前記アンカーモジュールの前記フレームは、前記掘削モジュールと一緒に、前記展開方向に前記変形可能な台形に対して移動可能である、
請求項９又は１０に記載の掘削機。
【請求項１２】
前記アクチュエータ装置は少なくとも１つのジャッキを含む、
請求項１乃至１１のいずれか１項に記載の掘削機。
【請求項１３】
前記掘削モジュールは、前記長手方向に前記アンカーモジュールに対して移動可能であり、前記掘削機はさらに、前記長手方向に前記アンカーモジュールに対して前記カッタ部材を動かすように、前記アンカーモジュールと前記掘削モジュールとの間に配置される少なくとも１つの移動装置を有する、
請求項１乃至１２のいずれか１項に記載の掘削機。
【請求項１４】
前記掘削モジュールは、前記カッタ部材を担持する底部セクション及び前記長手方向に延びる上部セクションを有し、前記掘削モジュールの前記上部セクションは、リフトケーブルの底端部から吊るされる、
請求項１乃至１３のいずれか１項に記載の掘削機。
【請求項１５】
前記移動装置は、前記アンカー装置の前記フレームと前記掘削モジュールの前記底部セクションとの間に配置される少なくとも１つのスラストジャッキを有し、前記掘削モジュールの前記上部セクションは、前記アンカー装置の前記フレームに対して前記長手方向に沿って移動可能である、
請求項１３を引用する請求項１４に記載の掘削機。
【請求項１６】
前記上部セクションは、前記アンカーモジュールを長手方向に通過するバーを有する、
請求項１４又は１５に記載の掘削機。
【請求項１７】
前記アンカーモジュールは、複数のアンカー装置を含み、前記アンカー装置の前記フレームは、互いに留められる、
請求項１乃至１６のいずれか１項に記載の掘削機。
【請求項１８】
前記アンカーモジュールはさらに、前記掘削モジュールを垂直面内で旋回させる経路補正手段を含む、
請求項１乃至１７のいずれか１項に記載の掘削機。
【請求項１９】
前記経路補正手段は、前記掘削モジュールを前記垂直面内で旋回させるように前記掘削穴の前記壁の少なくとも一つを押すために前記掘削モジュールに対して横方向に延びる方向に展開可能である経路補正パッドを有する、
請求項１８に記載の掘削機。
【請求項２０】
前記経路補正パッドは、前記掘削モジュールの前記上部セクション及び／又は前記底部セクションに配置される、
請求項１４を引用する請求項１９に記載の掘削機。
【請求項２１】
前記掘削機は、平行、別個、且つ前記掘削方向に対して垂直である回転軸周りに回転可能であるドラムを有するカッタ部材を有するミリング機械である、
請求項１乃至２０のいずれか１項に記載の掘削機。
【発明の詳細な説明】
【技術分野】
【０００１】
本発明は、特に、並置されたコンクリート壁要素によって構成される連続する遮蔽物のような、基礎を建設するために、地中を掘削することの分野に関する。
【０００２】
本発明は、より正確には、実質的に垂直である掘削方向に地面を、より具体的には硬質地盤を掘るための掘削機に関する。
【０００３】
より具体的には、本発明は、カッタ部材を備える底部及び上部の両方を有する機械に関し、掘削機は、掘削機の上部と底部との間に延びる長手方向を示し、掘削機は：
前面及び後面を有するアンカーモジュールであって、アンカーモジュールは、前面に配置される少なくとも１つの前部アンカーパッド及び後面に配置される少なくとも１つの後部アンカーパッドを有する少なくとも１つのアンカー装置を有し、前部アンカーパッド及び後部アンカーパッドは、アンカーモジュールを地中に静止して保持するために、掘削穴の壁を押すように、掘削機の長手方向に対して横方向に延びる展開方向に展開可能である、アンカーモジュール；並びに
カッタ部材を担持する掘削モジュールであって、アンカーモジュールと協働する、掘削モジュール；を有する。
【背景技術】
【０００４】
この種類の掘削機は、一般的に、硬質地盤、例えば、花こう岩の掘削のために使用される。移動装置が、掘削を容易にする目的で、掘削ツールに追加のスラスト（押付力）をかけるのに役立つ。
【０００５】
このような機械は、特に特許文献１に記載されている。アンカーモジュールは、掘削機を掘削穴に静止して保持するのに役立つことを理解することができる。それにもかかわらず、その掘削機は、掘削経路を効果的に修正できるようにすることができない。掘削機の掘削経路を修正することは、トレンチにおけるその位置が修正されることを必要とする。その位置を修正した後、掘削機は概して、もはや掘削穴の中心にはないが、大きい壁の一方に、それが反対側の壁に対するよりも、近い。また、アンカーパッドを展開することは、掘削穴において掘削機を再センタリングする効果を有し、したがって、掘削機の位置を修正し、その結果、もう一度掘削経路をずらす。
【先行技術文献】
【特許文献】
【０００６】
【特許文献１】ＥＰ  ０  ８１１  ７２４
【発明の概要】
【発明が解決しようとする課題】
【０００７】
本発明の目的は、掘削穴において掘削機の横方向位置を変えることなしにアンカーされるのに適する掘削機を提案することである。
【課題を解決するための手段】
【０００８】
本発明は、アンカー装置が：
前部アンカーパッド及び後部アンカーパッドを担持する（支える）フレームであって、掘削モジュールを支持する、フレームと；
前部アンカーパッド及び後部アンカーパッドが留められるアクチュエータ装置であって、アクチュエータ装置は、前部アンカーパッド及び後部アンカーパッドが格納される格納状態、並びに前部アンカーパッド及び後部アンカーパッドが展開される展開状態を引き起こさせ、アクチュエータ装置は、前部アンカーパッド及び後部アンカーパッドに作用する一方で展開方向に平行に延びる移動方向にフレームに対して移動可能である、アクチュエータ装置と；を有し、
前部アンカーパッド、後部アンカーパッド、及びアクチュエータ装置によって構成されるアセンブリが、フレーム及び掘削モジュールに対して移動方向に移動可能である、
という事実によってこの目的を達成する。
【０００９】
掘削モジュールを担持するフレームに対してスライドするためのアクチュエータ装置と共に前部アンカーパッド及び後部アンカーパッドによって構成されるアセンブリの間のスライド接続部があることが理解することができ、このスライド接続部は、長手方向に対して横方向に延びる移動方向に延びる。有利には、前部アンカーパッド、後部アンカーパッド、及びアクチュエータ装置によって構成されるアセンブリは、移動方向にフレーム及び掘削モジュールに対して自由に移動可能である。これはいわゆる「フローティングマウント」である。
【００１０】
アンカー（固定）中、アクチュエータ装置は、前部アンカーパッド及び後部アンカーパッドを展開位置にさせるように展開される。例えば、後部アンカーパッドより前に前部アンカーパッドが掘削穴の壁の一方を押すようになる場合、アクチュエータ装置及び後部アンカーパッドは、後部アンカーパッドが反対側の壁と接触するまでフレームに対して移動方向に沿って横方向に動く。前部アンカーパッド及び後部アンカーパッドの展開並びにアクチュエータ装置の移動は、フレーム及び掘削モジュールに対して行われるので、掘削モジュールはアンカー段階の間静止したままであることが理解することができる。さらに、本発明によって、前部アンカーパッド及び後部アンカーパッドは、掘削穴の壁に対して掘削モジュールの横（通常、水平）位置を変えることなしに展開される。
【００１１】
言い換えれば、地中に掘削モジュールを正しく位置決めした後、本発明は、掘削モジュールの水平位置を変えることなしに地中にアンカーモジュールをアンカーすることを可能にする。本発明によって、アンカーは掘削経路を変更しない。
【００１２】
とりわけ、本発明は、このように掘削経路の精度を向上させることを可能にする。
【００１３】
本発明の第１の実施形態では、アクチュエータ装置は、移動方向に平行な方向にスライド可能であるようにフレームに留められるボディを有する。したがって、第１の実施形態では、アクチュエータは２つの機能：具体的には、前部アンカーパッド及び後ろアンカーパッドを動かすこと、並びに、前部アンカーパッド及び後ろアンカーパッドに対して掘削モジュールと一緒のフレームの移動も案内することの両方、を実行する。第１の実施形態では、アクチュエータ装置は、前部アンカーパッドと後ろアンカーパッドとの間のスライド接続部がアクチュエータ装置によって提供されるように、フレームに留められる。
【００１４】
有利には、アクチュエータ装置は、スライド可能な方法でフレームに留められ且つ前部アンカーパッド及び後部アンカーパッドの一方に留められるシリンダを有するジャッキである、一方、ジャッキのロッドは、前部アンカーパッド及び後部アンカーパッドの他方に留められる。
【００１５】
変形形態では、アクチュエータ装置は、スライド可能な方法でフレームに留められるシリンダを有するジャッキであり、ジャッキは、前部アンカーパッドに留められる第１のロッドと、第１のロッドと同じ軸上にあり且つ後部アンカーパッドに留められる第２のロッドを有する。
【００１６】
第２の実施形態では、アンカー装置はさらに：
展開方向のフレームに対する前部アンカーパッドの移動を案内するための前部案内装置；及び／又は
展開方向のフレームに対する後部アンカーパッドの移動を案内するための後部案内装置；
を有する。
【００１７】
前部及び後部案内装置は、前部及び後部アンカーパッドの展開、並びにアンカー段階の間静止したままである掘削モジュールに対するアクチュエータ装置のアンカーパッドの移動も案内する働きをする。
【００１８】
前部及び後部案内装置を加えることの他の利点は、そこに長手方向の力を伝達することであり、それによって、パッドを展開する機能及び（垂直の）長手方向の力を引き受ける機能を分離する。これはまた、フレームが、例えば、掘削モジュールの重量に関連する、より大きい長手方向の力を引き受けることを可能にし、したがって、掘削機の頑健性を向上させる効果を有する。
【００１９】
好ましくは、第２の実施形態では、そのようなアクチュエータ装置は、フレームに直接接続される。このいわゆる「フローティング」マウントは、フレームが、前部及び後部アンカーパッド並びにアクチュエータ装置によって構成されるアセンブリに対して容易に動くことを可能にする効果を有する。
【００２０】
好適な方法では、前部案内装置は、前部アンカーパッドに留められる少なくとも１つの第１の前部案内部材を含み、第１の前部案内部材は、展開方向に平行な方向に沿ってスライド可能であるように、フレームに対して取り付けられる。
【００２１】
これを行うために、フレームは、例として、第１の前部案内部材がスライド可能に取り付けられる穴部を含む。
【００２２】
第１の案内部材がフレームから外れることを避けるために、第１の前部案内部材は、フレームの中の第１の前部案内部材の動きの振幅を制限する当接部を含む。
【００２３】
好ましくは、排他的ではないが、当接部は、第１の前部案内部材の留め部から離れている第１の前部案内部材の端部に配置される。
【００２４】
有利には、長手方向の力を引き受ける能力をさらに向上させるために、前部案内装置はさらに、第１の前部案内部材と同一である第２の前部案内部材を含み、第１及び第２の前部案内部材は、アクチュエータ装置の両側に配置される。
【００２５】
好ましくは、後部案内装置は、前部案内装置と同様である。
【００２６】
したがって、後部案内装置は、ファスナ部によって後部アンカーパッドに留められる少なくとも１つの第１の後部案内部材を含み、第１の後部案内部材は、展開方向に平行な方向に沿ってスライド可能であるように、フレームに対して取り付けられる。
【００２７】
有利には、長手方向の力を引き受ける能力をさらに向上させるために、後部案内装置はさらに、第１の後部案内部材と同一である第２の後部案内部材を含み、第１及び第２の案内部材は、アクチュエータ装置の両側に配置される。
【００２８】
有利には、前部アンカーパッド及び後部アンカーパッドは、ヒンジ接続される方法でアクチュエータ装置に留められる。水平軸の少なくとも１つのピボット接続部、好ましくはボールジョイント接続部を有する、このヒンジ接続は、前部アンカーパッド及び後部アンカーパッドが、掘削穴の壁に平行な位置を取ることを可能にする。これは、アンカーパッドと掘削穴の壁との間の接触面積を最大化する効果を有し、それによって、掘削穴におけるアンカーモジュールのアンカーを向上させる。
【００２９】
好ましくは、第２の実施形態を参照すると、前部アンカーパッドは、ヒンジ接続される方法で前部案内装置に留められ、後部アンカーパッドは、ヒンジ接続される方法で後部案内装置に留められる。
【００３０】
より好ましくは、前部アンカーパッド及び後部アンカーパッドのそれぞれは、第１及び第２の前部及び後部案内部材に対してヒンジ接続される。
【００３１】
有利には、前部アンカーパッド、後部アンカーパッド、前部案内装置、及び後部案内装置によって構成されるアセンブリは、変形可能な台形を形成し、アンカーモジュールのフレームは、掘削モジュールと一緒に、展開方向に前記変形可能な台形に対して移動可能である。アンカーパッドが展開されるとき、変形可能な台形は、効果的なアンカーを提供するとともに、アンカーモジュールを支持しながらそれを行うために、厳密に垂直でない、掘削穴の壁に対して掘削モジュールの移動を案内するように働く剛性の高い単一部品構造を構成する。
【００３２】
好適な実施形態では、アクチュエータ装置は少なくとも１つのジャッキを有する。変形形態では、アクチュエータ装置は、並んで配置される２つの平行なジャッキを有する。
【００３３】
本発明の他の有利な態様では、掘削機はさらに、掘削機の長手方向にアンカーモジュールに対してカッタ部材を動かすための、アンカーモジュールと掘削モジュールとの間に配置される移動装置を有する。
【００３４】
カッタ部材は、有利には、アンカーモジュールが地中にアンカーされた後に長手方向に動かされ、それによって、特に、カッタ部材に下方に向けられたスラストをかけることを可能にする。このために、移動装置は、掘削モジュールを長手方向に下方に動かすために、掘削モジュールに作用する。掘削機は、さらにまた、カッタ部材がアンカーモジュールから離れて動かされる展開位置、及びカッタ部材がアンカーモジュールの近くに持ってこられる格納位置を引き起こさせる。
【００３５】
有利には、掘削モジュールは、カッタ部材を担持する底部セクション及び長手方向に延びる上部セクションを有し、掘削モジュールの上部セクションは、リフトケーブルの底端部から吊るされる。
【００３６】
リフトケーブルがアンカーモジュールに留められている特許文献１とは異なり、本発明では、リフトケーブルが掘削モジュールに留められていることが理解することができる。本発明では、リフトケーブルを作動させることは、アンカーモジュールに対して掘削モジュールを長手方向に動かすように働き、アンカーモジュールが地中にアンカーされることを提供する。
【００３７】
利点は、アンカーモジュールが地中にアンカーされていないとき、移動装置によって支持される荷重を減らすことである。移動装置は、アクチュエータ装置のみを担持し、このアクチュエータ装置は、掘削モジュールより軽い。
【００３８】
有利には、移動装置は、アンカー装置のフレームと掘削モジュールの底部セクションとの間に配置される少なくとも１つのスラストジャッキを有し、掘削モジュールの上部セクションは、アンカー装置のフレームに対して前記長手方向に沿って移動可能である。
【００３９】
スラストジャッキを作動させることは、カッタ部材を担持する掘削モジュールの底部セクションを下降させる効果を有し、上部セクションと掘削モジュールとの間の協調は、移動を案内するように働く。
【００４０】
好適な変形形態では、上部セクションは、アンカーモジュールを長手方向に通過するバーである。バーは、アンカー装置のフレームに対してスライドするように取り付けられる。
【００４１】
有利には、アンカーモジュールは、複数のアンカー要素を含み、アンカー要素の前記フレームは、骨組みを形成するために、互いに留められる。掘削モジュールの上部セクションは、好ましくは、骨組みに対してスライドするように取り付けられる。このために、骨組みは、上部セクション、特にバーがスライド可能に取り付けられる、スリーブを形成する案内部材を含み得る。
【００４２】
本発明の有利の態様では、アンカーモジュールはさらに、掘削モジュールを垂直面内で旋回させる経路補正手段を含む。
【００４３】
経路補正手段を作動させることは、カッタ部材の位置が、掘削穴の掘削モジュールの３次元位置を変更することによって、補正されることを可能にする。その後、アンカーパッドは、アンカーモジュールを地中に静止して保持するように展開される。前部アンカーパッド及び後部アンカーパッドが、アクチュエータ装置と共に、掘削モジュールを担持するフレームに対して移動可能である結果として、前部及び後部アンカーパッドは、掘削モジュールを動かすことなしに動く。
【００４４】
その後、移動装置を作動させることは、カッタ部材に補正された掘削方向に沿って下方にスラストをかける効果を有し、それによって、所望の方向に掘削し続けることを可能にする。
【００４５】
有利には、経路補正手段は、掘削モジュールを垂直面内で旋回させるように掘削穴の壁の少なくとも一方を押すために掘削モジュールに対して横方向に延びる方向に展開可能である経路補正パッドを有する。
【００４６】
経路補正パッドが、掘削穴の壁部に対してスラストをかけるような方法で押すようになるとき、それは、掘削モジュールを経路補正パッドの展開方向と反対の方向に移動させる。
【００４７】
経路補正パッドは、掘削モジュールの前面及び後面に配置される。
【００４８】
好ましくは、経路補正パッドは、掘削モジュールの上部セクション及び／又は底部セクションに配置される。
【００４９】
掘削モジュールの旋回を容易にするために、経路補正パッドは、掘削モジュールの上部セクション及び底部セクションの前面及び後面に配置される。
【図面の簡単な説明】
【００５０】
本発明は、非限定の例として与えられる実施形態の以下の説明を読むこと、及び添付の図面を参照して、より良く理解することができる。
【００５１】
【図１】格納位置の本発明の掘削機の斜視図である。
【図２】図１の掘削機を正面図で示す。
【図３】掘削機の第１の実施形態のアンカー装置のＩＩＩ−ＩＩＩ断面の側面図である。
【図４】図３のアンカー装置の変形を示す。
【図５】本発明の掘削機の第２の実施形態のアンカー装置の断面の側面図であり、アンカーパッドは格納されている。
【図６】図５のアンカー装置の断面の側面図であり、前部及び後部アンカーパッドは展開されている。
【図７】図６のアンカー装置を示し、アンカーパッドの一方が他方のアンカーパッドに対して傾斜している。
【図８】本発明の掘削機を正面図で示す図である。
【図９Ａ】本発明の掘削機の経路が補正され且つ掘削機がアンカーされることを示す図である。
【図９Ｂ】本発明の掘削機の経路が補正され且つ掘削機がアンカーされることを示す図である。
【図９Ｃ】本発明の掘削機の経路が補正され且つ掘削機がアンカーされることを示す図である。
【図９Ｄ】本発明の掘削機の経路が補正され且つ掘削機がアンカーされることを示す図である。
【図１０Ａ】図８の掘削機のアンカー要素の動作を示す図である。
【図１０Ｂ】図８の掘削機のアンカー要素の動作を示す図である。
【図１０Ｃ】図８の掘削機のアンカー要素の動作を示す図である。
【図１０Ｄ】図８の掘削機のアンカー要素の動作を示す図である。
【発明を実施するための形態】
【００５２】
図１及び２は、本発明による掘削機１０の例を示す。掘削機１０は、実質的に垂直である掘削方向Ｆで地中Ｓに掘削穴Ｅを作るように設計されている。言い換えれば、本発明の掘削機１０は、地中に垂直トレンチを作るように設計されている。掘削機１０は、掘削機１０の上部１２と底部１４との間に延びる長手方向Ｌを示す。
【００５３】
図１に見ることができるように、底部１４は、この実施形態では、離間している平行な回転軸Ａ及びＢの周りに回転するように取り付けられるドラムの２つのペア１８及び２０を有する、カッタ部材１６を備える。回転軸Ａ及びＢは、掘削機１０の長手方向Ｌに対して直交している。さらに、ドラムのペア１８及び２０は、それ自体知られている、カッタ歯２２をそれらの周囲に備える。言い換えれば、この例では、掘削機１０は、地中に垂直トレンチを作るように適合されるミリング機械である。
【００５４】
掘削機１０はまた、前面３２及び前面３２の反対側の後面３４を提示するアンカーモジュール３０を有する。掘削機が地中にあるとき、前面及び後面３２及び３４は、掘削穴Ｅのより大きい壁Ｐ１及びＰ２に面する。掘削穴のより小さい壁Ｐ３及びＰ４は、掘削穴Ｅのより大きい壁Ｐ１及びＰ２に対して垂直であり、図２に見ることができる。
【００５５】
アンカーモジュール３０は、作動されるとき、アンカーモジュールを地中で静止して保持するように働く、複数のアンカー装置４０を有する。これらのアンカー装置は以下により詳細に記載される。
【００５６】
掘削機１０はまた、掘削機の底部１４に配置される掘削モジュール５０を有し、掘削モジュール５０は、カッタ部材１６を担持する。
【００５７】
この例では、掘削モジュール５０は、長手方向Ｌに沿ってアンカーモジュールに対して並進移動で移動可能である。アンカーモジュール３０に対して掘削モジュール５０を動かすために、掘削機１０はまた、アンカーモジュール３０と掘削モジュール５０との間に配置される移動装置６０を有する。この例では、移動装置６０は、アンカーモジュールが地中にアンカーされるとき、カッタ部材１６にスラストをかけるように働く２つのスラストジャッキ６２及び６４によって構成され、長手方向のこのスラストは下方に向けられる。
【００５８】
掘削モジュール５０はまた、カッタ部材を担持する底部セクション５２、及び掘削モジュール５０の底部セクションの上端部５２ａから長手方向Ｌに延びる上部セクション５４を有する。さらに、図２に見ることができるように、掘削モジュール５０の上部セクション５４は、アンカーモジュール３０を長手方向に通過するバー５６である。図２を参照すると、掘削モジュール５０の上部セクション５４がリフトケーブル７１の底端部７１ａによって吊るされていることを見ることができる。リフトケーブルは、その上端部で、それ自体知られている、キャリアブーム（図示せず）に接続される。
【００５９】
移動装置６０、特にスラストジャッキ６２、６４がアンカーモジュール３０の底端部３０ｂと掘削モジュール５０の底部セクション５２の上端部５２ａとの間に配置されていることを理解することができる。
【００６０】
図３を参照すると、本発明の第１の実施形態に対応するアンカー装置４０のより詳細な説明が続く。
【００６１】
各アンカー要素４０は、アンカーモジュール３０の前面３２に配置された前部アンカーパッド４２、及びアンカーモジュール３０の後面３４に配置された後部アンカーパッド４４を有する。図３から理解できるように、前部及び後部アンカーパッドは、掘削機１０の長手方向Ｌに対して横方向である展開方向Ｄに展開可能である。前部及び後部アンカーパッド４２及び４４は、アンカーパッドが、アンカーモジュール３０を地中Ｓに静止して保持するために掘削穴Ｅのより大きい壁Ｐ１及びＰ２を押圧している図３に示されるように、格納位置と展開位置の両方を提供する。
【００６２】
アンカーを向上させるために、前部及び後部アンカーパッドは、この例ではスパイク４６を備え、このスパイクは、壁に面するアンカーパッドの外面に配置される。
【００６３】
アンカー装置４０はまた、前部及び後部アンカーパッド３２及び３４を担持するフレーム７０を有する。図２から理解できるように、フレーム７０は、フレーム７０が掘削モジュール５０を支持するように移動手段６０に留められる；より正確には、図２の非限定の例では、アンカーモジュール３０は、そのフレーム７０が、移動装置６０を介して、具体的にはスラストジャッキ６２、６４を介して、掘削モジュール５０を支持する骨組みを形成するように、互いに留められている、複数のアンカー装置４０を有する。したがって、掘削機がリフトケーブル７１の端部で空中に吊るされるとき、スラストジャッキ６２及び６４はアンカーモジュールの重量のみを担持することを理解することができる。
【００６４】
もう一度図３を参照すると、アンカー装置４０はまた、前部及び後部アンカーパッド３２及び３４が留められるアクチュエータ装置７２を有することを見ることができる。この例では、アクチュエータ装置７２は、前部アンカーパッド４２に留められたシリンダ７６及び後部アンカーパッド４４に留められたロッド７８を有する液圧ジャッキ７４である。この第１の実施形態では、ジャッキ７４のシリンダ７６は、掘削機の長手方向に対して横方向である方向にスライドするようにフレーム７０に対してスライド可能に留められる；具体的には、この方向は展開方向である。液圧ジャッキ７４は、フレーム７０と伴にスライド接続部を形成し、これは展開方向に延びる。
【００６５】
このために、シリンダ７６は、フレーム７０の案内フィンガ７９と協働するスロット７８を含む。
【００６６】
アクチュエータ装置７２は、前部及び後部アンカーパッド４２及び４４が格納された格納状態、並びに前部及び後部アンカーパッド４２及び４４が展開された、図３に示されるような、展開状態を示す。アクチュエータ装置７２は、したがって、前部及び後部アンカーパッド４２及び４４に作用する一方、掘削機の長手方向に対して横方向に延びる移動方向Ｄ２にフレーム７０に対して移動可能であるように、適合される。この例では、移動方向Ｄ２は、展開方向Ｄ１に対応する。
【００６７】
したがって、前部アンカーパッド４２、後部アンカーパッド４４、及びアクチュエータ装置７２（ジャッキ７４）によって構成されるアセンブリは、フレーム７０及び掘削モジュールに対して移動方向Ｄ２に移動可能であることを理解することができる。
【００６８】
もう一度図３を参照すると、この第１の実施形態では、前部及び後部アンカーパッド４２及び４４のそれぞれはアクチュエータ装置７２にヒンジ接続される方法で留められることを見ることができる。より正確には、前部アンカーパッド４２は、アクチュエータ装置７２に対して実質的に水平軸Ｘ周りに旋回するように取り付けられる。同様の方法で、後部アンカーパッド４４は、同様に、アクチュエータ装置７２に対して軸Ｙ周りに旋回可能に取り付けられる。
【００６９】
図３から理解できるように、ヒンジアセンブリは、前部及び後部アンカーパッド４２及び４４を、傾斜させるとともに、掘削穴Ｅの壁Ｐ１及びＰ２に対して平らに保つことを可能にするように有利に働き、これらの壁は、特に、掘削経路が所望の経路に対してそれた場合に、必ずしも厳密に垂直ではなく、それらは、互いに平行である必要はない。
【００７０】
図４に示されるアンカー装置４０’は、図３に示されたアンカー装置４０の変形である。図４の変形は、アクチュエータ装置７２’が、フレーム７０‘’に移動可能に接続され且つ共通軸上に２つのロッド７８’ａ及び７８’ｂを有するシリンダ７６’を有するジャッキ７４’であるという事実によって図３の装置とは異なる。第１のロッド７８’ａは、ヒンジ接続される方法で前部アンカーパッド４２’に留められ、一方、第２のロッド７８’ｂは、ヒンジ接続される方法で後部アンカーパッド４４’に留められる。アクチュエータ装置７２’の作動中、第１及び第２のロッド７８’ａ及び７８’ｂは、前部及び後部アンカーパッドを掘削穴の壁Ｐ１及びＰ２に接触させるように反対方向に展開される。
【００７１】
図５乃至７を参照すると、本発明のアンカー装置１４０の第２の実施形態の説明が続く。
【００７２】
アンカー装置１４０は、図１の掘削機１０の掘削モジュール３０の前面３２に配置される前部アンカーパッド１４２と、図１の掘削機１０の掘削モジュール３０の後面３４に配置される後部アンカーパッド１４４とを有する。第１の実施形態と同様の方法で、前部及び後部アンカーパッドは、アンカーモジュールを地中に静止して保持するために掘削穴Ｅの壁Ｐ１及びＰ２を押すように、掘削機１０の長手方向Ｌに対して横方向に延びる展開方向Ｄ１に展開可能である。
【００７３】
アンカー装置１４０はまた、上述の移動装置６０を介して掘削モジュール５０を支持するフレーム１７０を有する。
【００７４】
アンカー装置１４０はまた、そこに留められる前部及び後部アンカーパッド１４２及び１４４を有するアクチュエータ装置１７２を有する
【００７５】
この第２の実施形態では、アクチュエータ装置１７２は、第１のジャッキ１７４１及び第２のジャッキ１７４２を有し、第１及び第２のジャッキ１７４１、１７４２の各々は、実質的に水平な軸Ｙ１、Ｙ２のピボット接続部を介して後部アンカーパッド１４４にヒンジ接続される方法で留められるそれぞれのロッド１７８１、１７８２を有する。第１及び第２のジャッキ１７４１、１７４２は、実質的に水平である軸Ｘ１及びＸ２のピボット接続部を介して前部アンカーパッド１４２にヒンジ接続される方法で留められるそれぞれのシリンダ１７６１、１７６２を有する。
【００７６】
アクチュエータ装置１７２は、前部及び後部アンカーパッド１４２及び１４４が格納された、図５に示される、格納状態、並びに、図６に示される、展開状態を示す。本発明にしたがって、アクチュエータ装置１７２は、この例では展開方向Ｄ１と一致する移動方向Ｄ２に、フレーム１７０に対して移動可能である。
【００７７】
第１の実施形態とは異なり、アクチュエータ装置１７２は、フレーム１７０に直接接続されていない。
【００７８】
本発明の範囲を超えることなしに、アクチュエータ装置１７２は１つのジャッキのみを有することができる。
【００７９】
図５及び６に見ることができるように、この第２の実施形態では、アクチュエータ装置はまた、展開方向Ｄ１にフレーム１７０に対して前部アンカーパッド１４２の移動を案内するための前部案内装置１８０を有する。前部案内装置１８０は、ファスナ部１８４によって前部アンカーパッド１４２に留められる第１の前部案内部材１８２を有する。これを行うために、第１の前部案内部材１８２は、フレーム１７０に設けられた開口部１８６にスライド可能に取り付けられる。第１の前部案内部材１８２はまた、ファスナ部１８４の反対側である第１の前部案内部材１８２の端部に配置される当接部１８７を有する。この当接部は、第１の前部案内部材たフレームから外れることを回避するように働く。加えて、第１の前部案内部材１８２は、上述の軸Ｘ１及びＸ２と平行な回転の軸Ｘ３を有するピボット接続部を介してヒンジ接続される方法で、前部アンカーパッド１４２に留められる。
【００８０】
前部案内装置１８０はまた、第１の前部案内部材１８２と同一である第２の前部案内部材１８８を有し、第１及び第２の前部案内部材１８２及び１８８は、アクチュエータ装置１７２の両側に配置される。第２の前部案内部材１８８はヒンジ接続される方法で前部アンカーパッド１４２に同様に止められることが定められる。
【００８１】
第１及び第２の前部案内部材がフレーム１７０に取り付けられる限りにおいて、第１の前部案内部材１８８と前部アンカーパッド１４２との間のヒンジは、前部アンカーパッドが後部アンカーパッドに対して傾斜することを可能にするように、長手方向Ｌに沿った並進の小さい量の移動を可能にするように適合される。
【００８２】
アンカー装置１４０はまた、展開方向Ｄ１にフレーム１７０に対して後部アンカーパッド１４４の移動を案内するための後部案内装置１９０を有する。後部案内装置１９０は、前部案内装置１８０と非常に似ているので、より明確に説明する。後部案内装置は、軸Ｙ１及びＹ２に平行な回転の軸Ｙ３周りにヒンジ接続される方法で後部アンカーパッド１４４に留められる第１の後部案内部材１９２を有し、第１の後部案内部材１９２はまた、展開方向Ｄ１に沿ってスライド可能であるように、フレーム１７０に取り付けられる。後部案内装置１９０はまた、第１の後部案内部材１９２と同一である第２の後部案内部材１９８を有し、第１及び第２の後部案内部材は、アクチュエータ装置１７２の両側に配置される。加えて、この第２の実施形態では、第１及び第２の前部案内部材１８２及び１８８は、第１及び第２の後部案内部材１９２及び１９８のいずれかの側に配置される。
【００８３】
図７は、掘削壁Ｐ１及びＰ２が厳密に垂直でない、又は互いに正確に平行でない状況を示す。アクチュエータ装置１７２を作動させた後、前部及び後部アンカーパッド１４２及び１４４は、掘削穴の壁Ｐ１及びＰ２に対して平らな位置を取る。壁Ｐ１が壁Ｐ２に対して平行でない限りにおいて、前部及び後部アンカーパッド１４２及び１４４は互いに対して傾斜することを理解することができる。さらに、前部案内装置１８０の前部アンカーパッド１４２、後部アンカーパッド１４４、特に第１及び第２の前部案内部材、並びに特に第１及び第２の後部案内部材によって構成されるアセンブリは台形を形成する。
【００８４】
フレーム１７０が第１及び第２の前部及び後部案内部材１８２、１８８、１９２、１９８に対して展開方向Ｄ１に沿ってスライドするように取り付けられる限りにおいて、フレーム１７０は、アンカーモジュールが地中にアンカーされている間でさえ、その後移動方向Ｄ２を構成する展開方向Ｄ１に動くことができることを理解することができる。結果として、アンカーモジュール３０のフレーム１７０は、掘削モジュール５０とともに、移動方向Ｄ２に台形に対して動かされることができる。
【００８５】
図８は、アンカー装置のそれぞれのアクチュエータ装置が、参照番号１７４を与えられた、１つのジャッキだけを有することを除いて、図５乃至７に示されたもののような２つのアンカー装置１４０を有する本発明の掘削機１０を示す図形である。
【００８６】
図８を参照すると、アンカー装置１４０のフレーム１７０は、掘削モジュール５０、特に、底部セクション５２を担持することを理解することができる。掘削モジュール５０は、アンカーモジュール３０に対してスライドするように取り付けられていることも理解することができる。図８から理解できるように、アンカー装置のフレーム１７０は、好ましくは、アンカーモジュールの剛性を向上させるように働く接続部材１７３によって互いに固定される。
【００８７】
もう一度図１及び２を参照すると、掘削モジュール５０はまた、ドラム１８、２０の回転軸Ａ、Ｂに平行である垂直面Ｑ１内で掘削モジュールを旋回させるための経路補正手段９０を有する。
【００８８】
これらの経路補正手段９０は、底部セクションの前面に配置される第１の経路補正パッド９２を有し、この第１の経路補正パッドは、掘削モジュールを垂直面Ｑ１内で旋回させるために掘削穴Ｅの壁Ｐ１、Ｐ２の少なくとも１つを押すためにドラムの回転軸Ａ、Ｂと平行な方向Ｔに展開されることができる。この例では、経路補正手段９０はまた、掘削モジュール５０の底部セクション５２の後面に配置される第２の経路補正パッド９４を含む。展開可能なパッド９２、９４は、この例では、掘削モジュールの底部セクションに配置される。掘削モジュールを垂直面Ｑ１内で旋回させることを容易にするために、掘削モジュールの上部セクションに配置される他の展開可能なパッドもまた設けられ得る。
【００８９】
図９Ａ乃至１０Ｄを参照すると、経路補正手段がどのように動作するかのより詳細な説明が続く。
【００９０】
図９Ａの例では、掘削機１０の掘削経路Ｆは、垂直方向Ｖに対して角度θで偏向している。アンカー装置が格納位置にある状態で、経路補正手段が、より具体的には、後部パッド９４が作動され、この後部パッドは掘削穴Ｅの壁Ｐ２を押し、したがって、ケーブル７１から吊るされた掘削機を垂直面Ｑ１内で傾けさせる。掘削機の長手方向Ｌに対応する掘削方向Ｆが垂直方向Ｖに再配置された後、アンカー装置１４０が、図９Ｃに示されるように、アンカーモジュール３０を掘削穴Ｅに静止して保持するように、作動される。上で説明されたように、展開可能なアンカーパッド１４２、１４４を展開させ、場合によりアクチュエータ装置を移動させる、アンカー装置１４０の作動は、掘削穴の壁に対するフレーム又は掘削モジュール５０の位置を変えることなしに実行される。
【００９１】
アンカーモジュール３０をアンカーした後、移動装置は、今や垂直である補正された掘削方向Ｆで掘削を続けるために、カッタ部材１６に下方に向けられたスラストをかけるように作動される。
【００９２】
図１０Ａ乃至１０Ｄは、図９Ａ乃至９Ｄに示された掘削機の位置に対応する、アンカー装置１４０のアンカーモジュール３０を詳細に示す。
【図１】
0006734917.tif 000002
【図２】
0006734917.tif 000003
【図３】
0006734917.tif 000004
【図４】
0006734917.tif 000005
【図５】
0006734917.tif 000006
【図６】
0006734917.tif 000007
【図７】
0006734917.tif 000008
【図８】
0006734917.tif 000009
【図９Ａ−９Ｄ】
0006734917.tif 000010
【図１０Ａ−１０Ｄ】
0006734917.tif 000011